(57)【要約】【課題】被施術者の頭部に対して満遍なく蒸気を当てることができる毛髪加湿器を提供することを課題とする。【解決手段】蒸気を噴出させるための蒸気噴出口を、被施術者の頭部に対向する位置に有する、被施術者の頭部に対して可動な蒸気噴出部３と、蒸気噴出部３を運動させるための駆動手段８とを有する毛髪加湿器を提供する。駆動手段８により、蒸気噴出部３が被施術者の頭部に対して運動しつつ蒸気を当てることができるため、被施術者の頭部に対して満遍なく蒸気を当てることができる。【選択図】          図１
2004242997.tif 000002
【特許請求の範囲】
【請求項１】
被施術者の頭部に蒸気を当てて毛髪処理を促進する毛髪加湿器（１０）において、
蒸気を噴出させるための蒸気噴出口（３２）を、被施術者の頭部に対向する位置に有する蒸気噴出部（３）と、
この蒸気噴出部（３）を被施術者の頭部に対して可動に支持する支持手段（１）と、
この可動な蒸気噴出部（３）を動かすための駆動手段（８）とを備え、
蒸気噴出部（３）を動かしながら蒸気噴出口（３２）から蒸気を噴出させるようにしたことを特徴とする毛髪加湿器。
【請求項２】
上記の蒸気噴出部（３）が長手方向に湾曲して伸びたものであり、
蒸気噴出口（３２）が長手方向に沿って設けられたものであり、
駆動手段（８）が、湾曲した蒸気噴出部（３）の両端側の所定位置間を結ぶ直線（Ｓ）を回動の軸として、蒸気噴出部（３）を往復運動させるものであることを特徴とする、請求項１に記載の毛髪加湿器。
【請求項３】
上記の蒸気噴出部（３）は、蒸気噴出部（３）の長手方向の両端にそれぞれ設けられた２本の回動軸（１２ａ，１２ｂ）により支持手段（１）に対して回動自在に連結され、
蒸気噴出部（３）の長手方向における両端側の所定位置は、この所定位置間に被施術者の頭部を位置させることが可能な距離（Ｌ）を有するものであり、
上記２本の回動軸（１２ａ，１２ｂ）の少なくともいずれか一方に接続された上記の駆動手段（８）により、被施術者の頭部の回りの、右頭部から左頭部、あるいは前頭部から後頭部までの所定の角度範囲を往復運動することを特徴とする、請求項２に記載の毛髪加湿器。
【請求項４】
１台の毛髪加湿器（１０）につき、上記の蒸気噴出部（３）が２本設けられたことを特徴とする、請求項２または３に記載の毛髪加湿器。
【請求項５】
蒸気を噴出させるための蒸気噴出口（３２）を、被施術者の頭部に対向する位置に有する蒸気噴出部（３）と、
この蒸気噴出部（３）を被施術者の頭部に対して可動に支持する支持手段（１）と、
この可動な蒸気噴出部（３）を動かすための駆動手段（８）とを備えた毛髪加湿器（１０）であって、
蒸気噴出部（３）は長手方向に湾曲して伸びた部位を有し、この湾曲して伸びた部位の長手方向に沿って蒸気噴出口（３２）が設けられることによって、蒸気噴出部（３）の停止状態で、被施術者の頭部の少なくとも半分の長さ範囲に渡って蒸気を噴出することが可能であり、
支持手段（１）は、この蒸気噴出部（３）を、少なくとも一つの回転軸による一方向回転運動若しくは往復回転運動が可能なように、支持するものであり、
駆動手段（８）は、支持手段（１）に支持された蒸気噴出部（３）を一方向回転運動若しくは往復回転運動を行うように、駆動するものであることを特徴とする、毛髪加湿器。
【発明の詳細な説明】
【０００１】
【発明の属する技術分野】
本願発明は、理美容室において、パーマや毛染め、トリートメント等の毛髪処理を行う際に、頭部に蒸気を当てて毛髪処理を促進するために用いる毛髪加湿器に関するものである。
【０００２】
【従来の技術】
【特許文献１】
特開平１０−３２３２１３号公報
【０００３】
従来の毛髪加湿器の一例としては、本願出願人による特開平１０−３２３２１３号公報（特許文献１）に記載の加湿器１００があげられる。これは、図８に示すようなものであり、蒸気発生釜１０１で発生させた蒸気を、導通管１０２を経由させてキャップ１０３内に導き、キャップ１０３を被った被施術者の頭部に蒸気を当てることができるようになっている。
【０００４】
【発明が解決しようとする課題】
この毛髪加湿器においては、キャップ１０３の内部に蒸気を供給するための蒸気噴出口１０４の位置が固定され、蒸気がキャップ１０３の内部に順次充満していくものであった。このキャップ１０３は、満遍なく蒸気を被施術者の頭部に行き渡らせるためのものであるが、キャップ１０３の内部に包まれた頭髪には、蒸気が供給されるものの、キャップ１０３の外にはみ出た頭髪には、全く蒸気が当たらないという課題を有する。また、蒸気噴出口１０４は通常１つであり、その位置が固定されているため、蒸気噴出口１０４付近の頭髪と、この頭髪から遠くに離れた位置の頭髪とでは、蒸気の量や温度にばらつきが発生し、パーマや毛染め、トリートメント等の施術にムラが発生してしまうおそれがある。さらに、キャップ１０３の代わりに、頭部から所定の間隔を置いて配置されるフードを用いるものも存在するが、蒸気噴出口が固定であるため、蒸気噴出口と頭部の部位の位置によって、蒸気の量や温度にばらつきが生ずることは避けられない。
【０００５】
上記の問題点に鑑み、本願発明は、被施術者の頭部に対して広い範囲に蒸気を当てることができる毛髪加湿器を提供することを課題とする。特に、キャップといった被施術者の頭部に直接装着して用いる手段を備えていないオープンタイプの毛髪加湿器にあって、被施術者の頭部に対して広い範囲に、望ましくはより均一に蒸気を当てることのできる毛髪加湿器を提供せんとするものである。
【０００６】
【課題を解決するための手段】
上記課題を解決するために、本願の請求項１に係る発明は、被施術者の頭部に蒸気を当てて毛髪処理を促進する毛髪加湿器１０において、蒸気を噴出させるための蒸気噴出口３２を、被施術者の頭部に対向する位置に有する蒸気噴出部３と、この蒸気噴出部３を被施術者の頭部に対して可動に支持する支持手段１と、この可動な蒸気噴出部３を動かすための駆動手段８とを備え、蒸気噴出部３を動かしながら蒸気噴出口３２から蒸気を噴出させるようにしたことを特徴とする毛髪加湿器を提供する。
【０００７】
又、本願の請求項２に係る発明は、請求項１に係る発明において、上記の蒸気噴出部３が長手方向に湾曲して伸びたものであり、蒸気噴出口３２が長手方向に沿って設けられたものであり、駆動手段８が、湾曲した蒸気噴出部３の両端側の所定位置間を結ぶ直線Ｓを回動の軸として、蒸気噴出部３を往復運動させるものであることを特徴とする毛髪加湿器を提供する。
【０００８】
又、本願の請求項３に係る発明は、請求項２に係る発明において、上記の蒸気噴出部３は、蒸気噴出部３の長手方向の両端にそれぞれ設けられた２本の回動軸１２ａ，１２ｂにより支持手段１に対して回動自在に連結され、蒸気噴出部３の長手方向における両端側の所定位置は、この所定位置間に被施術者の頭部を位置させることが可能な距離Ｌを有するものであり、上記２本の回動軸１２ａ，１２ｂの少なくともいずれか一方に接続された上記の駆動手段８により、被施術者の頭部の回りの、右頭部から左頭部、あるいは前頭部から後頭部までの所定の角度範囲を往復運動することを特徴とする毛髪加湿器を提供する。
【０００９】
又、本願の請求項４に係る発明は、請求項２または請求項３に係る発明において、１台の毛髪加湿器１０につき、上記の蒸気噴出部３が２本設けられたことを特徴とする毛髪加湿器を提供する。
【００１０】
又、本願の請求項５に係る発明は、蒸気を噴出させるための蒸気噴出口３２を、被施術者の頭部に対向する位置に有する蒸気噴出部３と、この蒸気噴出部３を被施術者の頭部に対して可動に支持する支持手段１と、この可動な蒸気噴出部３を動かすための駆動手段８とを備えた毛髪加湿器１０であって、蒸気噴出部３は長手方向に湾曲して伸びた部位を有し、この湾曲して伸びた部位の長手方向に沿って蒸気噴出口３２が設けられることによって、蒸気噴出部３の停止状態で、被施術者の頭部の少なくとも半分の長さ範囲に渡って蒸気を噴出することが可能であり、支持手段１は、この蒸気噴出部３を、少なくとも一つの回転軸による一方向回転運動若しくは往復回転運動が可能なように、支持するものであり、駆動手段８は、支持手段１に支持された蒸気噴出部３を一方向回転運動若しくは往復回転運動を行うように、駆動するものであることを特徴とする、毛髪加湿器を提供する。
ここで、「停止状態」とは、蒸気噴出部３が物理的な運動を停止した状態を言うのであり、蒸気の噴出が停止した状態を言うのではない。
また、「被施術者の頭部の少なくとも半分の長さ範囲」とは、図７（Ａ）に示す、被施術者の頭部に沿う、前頭部から後頭部へ至る経路長Ｄや、図７（Ｂ）に示す、被施術者の頭部に沿う、右側頭部から左側頭部へ至る経路長Ｅ等について、例えば、頭部を上方向から見た略図である図７（Ｃ）に示すように、各経路長Ｄ，Ｅにおける少なくとも半分の経路長を占めるようにして、長手方向に沿って伸びる蒸気噴出部３を配位するものである。
つまり、蒸気噴出部３が、被施術者の頭部に沿う、頭部の一端側から他端側へ至る経路長における少なくとも半分の経路長を占めるように、この経路長の長手方向に沿って配位されるものである。
そして蒸気噴出部３には、長手方向に沿って、蒸気噴出口３２が設けられている。
【００１１】
上記の各発明にあっては、駆動手段８により、蒸気噴出部３を被施術者の頭部に対して動かしつつ、蒸気噴出口３２から噴出する蒸気を当てることができるため、被施術者の頭部に対して、広い範囲に、より均一に蒸気を当てることができる。
【００１２】
特に、請求項２に係る発明にあっては、蒸気噴出部３が長手方向に湾曲して伸びたものであり、蒸気噴出口３が長手方向に沿って設けられたものであるため、被施術者の頭部の形状に一致し易く、これを往復運動させることによって、被施術者の頭部を広くカバーし、しかも、一定範囲内の距離に被施術者の頭部を置くことができ、被施術者の頭部に対してより満遍なく蒸気を当てることができる。
【００１３】
そして、請求項３に係る発明にあっては、湾曲した蒸気噴出部３の長手方向の両端側の所定位置間に被施術者の頭部を位置させることが可能であるため、蒸気噴出部３を、複雑な運動ではなく、所定の角度範囲を単純に往復運動させるだけで、被施術者の頭部に対して満遍なく蒸気を当てることができる。
【００１４】
また、請求項４に係る発明にあっては、２本の蒸気噴出部３を用いるため、蒸気噴出部３における１本当たりの可動範囲を小さくでき、その結果、頭部の各部位において蒸気が直接当たっていない時間を短くすることができ、より均一に蒸気を当てることができる。
【００１５】
また、請求項５に係る発明にあっては、蒸気噴出部３が長手方向に湾曲して伸びた部位を有し、被施術者の頭部の少なくとも半分の長さ範囲に渡って蒸気を噴出することが可能であり、また、一方向回転運動若しくは往復回転運動を行うように駆動されることにより、被施術者の頭部の全体に対して簡単に蒸気を当てることができる。
【００１６】
【発明の実施の形態】
以下、図面に基づき、本願発明の実施の一例を取り上げて説明する。図１は本例の毛髪加湿器の外観を示す説明図であり、図２は本例の毛髪加湿器をスタンドに取り付け、蒸気噴出部を畳んだ状態を示す図である。また、図３は、図２のＡ−Ａ断面図である。
【００１７】
図１，図４に示すように、本例における毛髪加湿器１０は、支持手段としての支持部１に、回動軸１２ａ，１２ｂによって、支持部１の左右両側の所定範囲内において、回動自在に連結された、回動体としての蒸気噴出部３，３を有するものである。この支持部１は、前後方向に配置され、長手方向に湾曲して伸びた形状、具体的には半円形（アーチ）状に形成されている。
この支持部１は、例えば図２に示すように、支持棒４を介してスタンド５上に配位されるものであり、スタンド５に対して支持棒４を固定する位置を調整することにより、被施術者の頭部に対して適切な高さに毛髪加湿器１０を位置させることができる。
また、この支持部１は、支持棒４に対して支持軸６を中心に前後に傾けることができ、被施術者の頭部に対して適切な角度に毛髪加湿器１０を位置させることができる
なお、この図２の例では、床上に置いて用いるために支持棒４やスタンド５等の、床上から充分な高さに蒸気噴出部３を配位するための手段を備えたものとしているが、机上に置いて使用できるように、これらの形態を変更して実施することもできる。
【００１８】
蒸気噴出部３もまた、湾曲した形状であり、支持部１の内側に配位されるもので、支持部１よりも大きな曲率に形成されており、図２，図３に示すように支持部１に対して重ね合わせることができる。
ここで、蒸気噴出部３の長手方向の両端部である、第１ブラケット１１ａと第２ブラケット１１ｂとの距離Ｌ（図１参照）は、被施術者の頭部をこの間に位置させることが可能な距離を有するものとする。
上記のように蒸気噴出部３を形成することにより、蒸気噴出部３と被施術者の頭部との間の距離をほぼ揃えることができ、頭部の毛髪に対して均等に蒸気を当てることができる。
【００１９】
蒸気噴出部３の内側、つまり被施術者の頭部に対向する位置には、図３，図４に示すように蒸気パイプ３１が配位されている。この蒸気パイプ３１には蒸気噴出口３２が設けられており、この蒸気噴出口３２から蒸気パイプ３１内を通る蒸気が噴出する。
蒸気噴出口３２は、本例においては、蒸気噴出部３の長手方向に沿って設けられたものであり、具体的には、蒸気パイプ３１の長手方向に沿うようにして、蒸気パイプ３１の側面に、所定間隔をおいて設けられた複数の円形の孔として実施されている。本例では、均等間隔に、同一径の孔が設けられているが、蒸気を均一に噴出させることができること等を目的として、孔の大きさや間隔や形状を変化させたものとしても良い。又、一つ一つが独立した孔とせずに、１本の連続した長孔としても良いし、楕円形等の変形した形状の孔としても良い。あるいは、１本の蒸気パイプ３１について、２列以上の孔の列を並列して設けたり、互い違いに設けても良く、種々の形態で実施することができる。
【００２０】
蒸気パイプ３１に供給される蒸気は、図４に示すように、支持部１の後ろ側に配置された蒸気発生釜７で発生させるものであり、この蒸気をジョイントホース７３を介して蒸気パイプ３１に導く。
蒸気発生釜７は、貯水できる容器の内部に、電熱線等の発熱体を備えた加熱ヒータ７１を配位したものであって、この加熱ヒータ７１が容器内部の水を加熱して蒸気を発生させる。なお、空焚き防止手段としてのフロートスイッチ７２が蒸気発生釜７の内部に設けられている。これは水位によって上下するフロートによって、容器内が低水位となった場合に、加熱ヒータ７１の電流を遮断するものである。
なお、蒸気の発生方法は、本例の方法に限られるものではなく、例えば超音波によって蒸気を発生させ、その後ヒータ等で加熱するものであっても良く、種々の方法を用いることができる。
【００２１】
次に、各蒸気噴出部３，３の連結部分について述べる。各蒸気噴出部３，３の、長手方向の一方の先端部には第１回動ブラケット１１ａが設けられており、他方の先端部には第２回動ブラケット１１ｂが設けられている。これらの各回動ブラケット１１ａ，１１ｂに各回動軸１２ａ，１２ｂを通すことにより蒸気噴出部３，３が連結され、支持部１に取り付けられる。
上記により各蒸気噴出部３，３は、図４に示すように、各回動軸１２ａ，１２ｂの中心を通る軸線と一致する、半円形である蒸気噴出部３の弦に相当する直線Ｓ（第１回動ブラケット１１ａと第２回動ブラケット１１ｂとを結ぶ直線）を回動の中心軸として、支持部１に対して所定範囲で往復運動可能に連結される。
そして、各蒸気噴出部３，３の回動可能な範囲は、図５に示すように、支持部１を基準として左右両側の約９０°の範囲であり、この範囲内において、被施術者の頭部に対して蒸気を当てることができる。つまり、支持部１に対して各蒸気噴出部３，３の相互が左右方向に接近離反するように往復運動することにより、被施術者の前頭部から後頭部、そして左右側頭部間の範囲内に、満遍なく蒸気を当てることができる。これを例示したものが図７であり、図７（Ａ）に示す、前頭部−後頭部間Ｄ、そして、図７（Ｂ）に示す、右側頭部−左側頭部間Ｅの各範囲に、満遍なく蒸気を当てることができる。
そして、図２，図３に示すように、各蒸気噴出部３，３を支持部１に対して重ねることで、毛髪加湿器１０を収納状態とできる。よってコンパクトに収納できるため、狭い理美容院においても収納に困ることがない。
【００２２】
なお、蒸気噴出部３は、本例では、上記のように長手方向の両端において、支持部１に支持されているが、完全に長手方向の両端でなくてもよく、両端側の所定位置間に支持されていれば足りる。具体的には、蒸気噴出部３の長手方向の中央から適宜距離を隔てた２点間で支持されていれば足り、支持部１に対する支持箇所から自由端側に蒸気噴出部３の一部が伸びるものであってもよい。ただ、長手方向の両端とすることによって、両端の位置を、被施術者の頭部の額付近と首付近に対向する位置に配置でき、額付近と首付近とを結ぶ頭部の全範囲に対して、蒸気噴出部３を可動な状態とすることができる。
また、図示はしないが、支持部１を蒸気噴出部３の両端を支持するものとするのではなく、蒸気噴出部３の適宜位置（例えば、一端側のみ、即ち、本例における第２回動ブラケット１１ｂの部分のみ）において、蒸気噴出部３を一カ所で片持ち支持するものとしても良い。
【００２３】
ここで、第２回動ブラケット１１ｂは、後ろ側に位置する駆動モータや減速ギア等からなる駆動手段８に、駆動手段８に接続された回動軸１２ｂを介して接続されている。よって、各蒸気噴出部３，３はこの駆動手段８の動力によって回動する。また、駆動手段８には、過負荷が加わった場合に、第２回動ブラケット１１ｂへの動力の伝達を絶つためのトルクリミッタが設けられている。
なお、第２回動ブラケット１１ｂと駆動手段８との接続は、一方の蒸気噴出部３と他方の蒸気噴出部３とが、左右方向において、相互に逆に回動するように接続されたものであり、これにより、駆動手段８の動力が第２回動ブラケット１１ｂを介して蒸気噴出部３に伝達された際には、各蒸気噴出部３，３が支持部１に対して、接近あるいは離反するように運動する。
この蒸気噴出部３の運動に伴い、被施術者の頭部に対して順次蒸気を当てていくことができ、従来の毛髪加湿器のように頭部にかかる蒸気の温度にばらつきが発生することがなく、パーマや毛染め、トリートメント等の施術にムラが発生しない。
本例の毛髪加湿器においては、図５に示すように、一方の蒸気噴出部３が左頭部の約９０°の範囲（図示Ｘ−Ｙ間）、他方の蒸気噴出部が右頭部の約９０°の範囲（図示Ｘ’−Ｙ’間）をそれぞれ運動させることができ、被施術者の頭部の全体に満遍なく蒸気を当てることができる。後に述べるが、蒸気噴出部３の運動範囲は、設定により任意の範囲内で往復運動させることもできる。
【００２４】
蒸気噴出部３を、上記のように所定の範囲内で往復運動させる方法としては、蒸気噴出部３の範囲をフォトセンサまたはポテンショメータ等を用いて検出し、これらの検出出力を用いて、所定の角度で往復運動するように駆動手段８を正逆回転制御する方法や、駆動手段８としてサーボモータ等を使用し、所定の角度で往復運動するように駆動制御する方法を用いることができる。また、クランクを使用して駆動用モータの回転を支持軸の往復運動に変換するなど、種々の手段を用いることができる。
【００２５】
また、詳細の図示はしないが、駆動手段８には上限・下限リミットスイッチが設けられている。これは、各蒸気噴出部３，３の上限・下限位置を検出して、各蒸気噴出部３，３の回動可能範囲を決定するものである。本例においては、各蒸気噴出部３，３が、図５に示すＸ，Ｘ’位置である、支持部１と各蒸気噴出部３，３とが重なった位置にある状態と、Ｙ，Ｙ’位置である、同一平面上で両蒸気噴出部３，３がほぼ円形状態をつくる状態との間を回動可能範囲とし、両蒸気噴出部３，３は、上記Ｘ，Ｘ’位置と上記Ｙ，Ｙ’位置との間の、所定のＺ，Ｚ’位置で回動方向を反転して、例えば、Ｘ，Ｘ’位置−Ｙ，Ｙ’位置−Ｚ，Ｚ’位置−Ｙ，Ｙ’位置−Ｘ，Ｘ’位置と移動して、被施術者の頭部の周囲を運動するものである。このように各両蒸気噴出部３，３がＸ，Ｘ’位置とＹ，Ｙ’位置との間の往復運動に加えて、さらにＺ，Ｚ’位置とＹ，Ｙ’位置との間を回動することにより、被施術者の頭部において、蒸気をより多く当てたい部分（上記の例においては側頭部）に重点的に蒸気を当てることができる。また、上記のＺ，Ｚ’位置については、各蒸気噴出部３，３がＹ，Ｙ’位置からＸ，Ｘ’位置に移動する経過時間を制御して、位置設定することが可能なものである。
【００２６】
このように、本例の毛髪加湿器１０では、蒸気噴出部３，３を複数用いることによって、１つ１つの蒸気噴出部３の運動する軌跡を小さくでき、施術者の作業性の向上を図ることができる。また、本例の毛髪加湿器では、略円弧形状に蒸気噴出部３を形成することによって、蒸気噴出口３２からの蒸気が、常に被施術者の頭部に略垂直に噴射される状態で運動するので、蒸気噴出部３からの蒸気を無駄なく頭部に当てることができ、毛髪処理の促進を効率よく行なうことができる。
【００２７】
蒸気噴出部３については、本例のように、２本の蒸気噴出部３，３を支持部１を境にして左右にそれぞれ運動させる形態に限られるものではなく、１本の蒸気噴出部３を、被施術者の頭部全体をカバーするように運動するようにしても良い。また、本例のように、被施術者に対して左右方向に移動するものとはせずに、前後方向に移動するものとしても良い。さらに、蒸気噴出部３を３本用い、その中央の１本を固定し、両側の蒸気噴出部３を可動として実施しても良い。このように全ての蒸気噴出口３２の位置が変わるものでなくても良く、例えば、頭部の後方（うなじ付近）に対しては、固定の蒸気噴出口３２を別個設けるようにしてもよい。
【００２８】
また、上記のように、蒸気噴出部３を１本で実施する場合において、蒸気噴出部３の形態を本例のような湾曲した半円形状としても良いし、リング状としても良い。これらの蒸気噴出部３の形状は、均一な曲率を有するものに限られず、部位によって曲率を変更した形状や、曲線と直線とを組合わせた形状としたり、三次元的に湾曲させた形状等、種々の形状にて実施が可能である。なお、蒸気噴出部３の形状にかかわらず、例えば、蒸気噴出部３を、駆動手段８に接続された回動軸１２ｂを中心として円錐形（摺り鉢状）の軌跡を描くように偏心回動させたり、また、図４に示すように、図示Ｓの軸と異なる第２回動軸Ｔを別途設けて、支持部１等を回動可能とし、これによって蒸気噴出部３を複合的に動かすこと等により、図７（Ａ）に示す、前頭部−後頭部間Ｄ、そして、図７（Ｂ）に示す、右頭部−左頭部間Ｅの各範囲に、満遍なく蒸気を当てることができるようにすることが望ましい。
【００２９】
また、詳細の図示はしないが、支持部１の後方には操作盤９が設けられており、例えば、電源スイッチ、蒸気を当てる時間を設定するタイマー設定用スイッチ、施術内容を選択するモード設定用スイッチ、蒸気の温度を設定する温度設定用スイッチ、蒸気噴出部３の反転位置を設定するスイッチ等が設けられている。
【００３０】
上記に例示した、各種の形態の他に、本願発明に係る毛髪加湿器１０は種々の形態で実施が可能である。例えば、図６に示すように、蒸気噴出部３の運動範囲を覆うようなカバー１２を設けても良い。こうすることにより、蒸気噴出部３から噴出した蒸気が頭部に当たった後も、カバー１２内にしばらくの間とどまるため、より効果的に毛髪処理ができる。
また、蒸気噴出部３には、蒸気パイプ３１と共にヒータや、ヒータから発生する赤外線や遠赤外線を広範囲に放射させるための反射板等を備えたものとしても良い。これにより、蒸気による毛髪の処理と、ヒータによる毛髪の処理を１つの装置で行なうことができるため、省スペースな処理装置とすることができる。なおこの場合は、回動ブラケット１１ｂにおいて、回転給電器を設けたり、蒸気噴出部３から一度外部に露出させたコードを介して給電することにより、蒸気噴出部３に設けるヒータに電力を供給する。
【００３１】
【発明の効果】
本願の各発明にあっては、駆動手段により、蒸気噴出部を被施術者の頭部に対して動かしつつ、蒸気噴出口から噴出する蒸気を当てることができるため、被施術者の頭部に対して、広い範囲に、より均一に蒸気を当てることのできる毛髪加湿器を提供することができたものである。
【００３２】
特に、本願の請求項２に係る発明にあっては、蒸気噴出部が長手方向に湾曲して伸びたものであり、蒸気噴出口が長手方向に沿って設けられたものであるため、被施術者の頭部の形状に一致し易く、これを往復運動させることによって、被施術者の頭部を広くカバーし、しかも、一定範囲内の距離に被施術者の頭部を置くことができ、被施術者の頭部に対してより満遍なく蒸気を当てることができるものである。
【００３３】
そして、本願の請求項３に係る発明にあっては、上記に加え、湾曲した蒸気噴出部の長手方向の両端側の所定位置間に被施術者の頭部を位置させることが可能であるため、蒸気噴出部を、複雑な運動ではなく、所定の角度範囲を単純に往復運動させるだけで、被施術者の頭部に対して満遍なく蒸気を当てることができるものである。
【００３４】
また、請求項４に係る発明にあっては、２本の蒸気噴出部を用いるため、蒸気噴出部１本当たりの可動範囲を小さくでき、その結果、頭部の各部位において蒸気が直接当たっていない時間を短くすることができ、より均一に蒸気を当てることができるものである。
【００３５】
また、請求項５に係る発明にあっては、蒸気噴出部が長手方向に湾曲して伸びた部位を有し、被施術者の頭部の少なくとも半分の長さ範囲に渡って蒸気を噴出することが可能であり、また、一方向回転運動若しくは往復回転運動を行うように駆動されることにより、被施術者の頭部の全体に対して簡単に蒸気を当てることができるものである。
【図面の簡単な説明】
【図１】本願発明の実施の一例に係る毛髪加湿器の外観を示す説明図である。
【図２】本例の毛髪加湿器をスタンドに取り付け、蒸気噴出部を畳んだ状態を示す斜視説明図である。
【図３】図２におけるＡ−Ａ断面図である。
【図４】図３におけるＢ−Ｂ断面図である。
【図５】図１におけるＣ−Ｃ端面図であり、蒸気噴出部の運動を説明するものである。
【図６】本願発明の実施の他の例に係る毛髪加湿器の外観を示す説明図である。
【図７】蒸気噴出部の運動についての説明図であり、（Ａ）は被施術者の側面視、（Ｂ）は被施術者の正面視、（Ｃ）は被施術者の平面視を示す。
【図８】従来の毛髪加湿器を示す説明図である。
【符号の説明】
１        支持手段、支持部
１０      毛髪加湿器
１２ａ    第１回動軸
１２ｂ    第２回動軸
３        蒸気噴出部
３２      蒸気噴出口
８        駆動手段
Ｌ        蒸気噴出部の長手側端部間の距離
Ｓ        蒸気噴出部の両端側の所定位置間を結ぶ直線
【図１】
2004242997.tif 000003
【図２】
2004242997.tif 000004
【図３】
2004242997.tif 000005
【図４】
2004242997.tif 000006
【図５】
2004242997.tif 000007
【図６】
2004242997.tif 000008
【図７】
2004242997.tif 000009
【図８】
2004242997.tif 000010